(57)【要約】【課題】一般の家庭でも使用できるユニバーサルリモコン機能を結合した無線電話装置を提供する。【解決手段】無線電話装置３は外殻３１表面に設けたコントロールボード３２を設けて複数の機能キーを設け、外殻３１内部にはコントローラ３４、及びコントローラ３４と電気的に接続した無線電話モジュール３５、並びにユニバーサルリモコンモジュール３６を設け、無線電話モジュール３５では電話機４の無線電話シグナルを伝送及び受信し、音声シグナルとダイヤルシグナルと無線電話シグナルの転換を行い、該ユニバーサルリモコンモジュール３６では複数の家電製品５をリモート操作し、該コントロールボード３２を該無線電話モジュール３５と該ユニバーサルリモコンモジュール３６で共用することにより、無線電話ダイヤル用や家電製品５機能のリモート操作の両用とするユニバーサルリモコン機能を結合した無線電話装置である。【選択図】        図１
2005229424.tif 000002
【特許請求の範囲】
【請求項１】
電話機と接続されるユニバーサルリモコン機能を結合した無線電話装置において、
外殻と、
該外殻上に設けられ、複数の機能キーを具有するコントロールボードと、
該外殻内に位置するコントローラと、
該外殻内に位置し、該コントローラと電気的に接続されており、前記電話機の無線電話シグナルを伝送及び受信し、音声シグナルとダイヤルシグナル並びに無線電話シグナルの転換を行う無線電話モジュールと、
該外殻内に位置し、該コントローラと電気的に接続されており、複数の家電製品をリモートコントロールするユニバーサルリモコンモジュールと、
を具有し、
前記コントロールボードは該無線電話モジュール及び該ユニバーサルリモコンモジュールで共用され、該機能キーを操作することで該無線電話のダイヤル用及び該家電製品機能設定のリモート操作用に使用されることを特徴とするユニバーサルリモコン機能を結合した無線電話装置。
【請求項２】
前記コントロールボードはタッチ式コントロールボードであることを特徴とする請求項１記載のユニバーサルリモコン機能を結合した無線電話装置。
【請求項３】
前記無線電話装置にはディスプレイモジュールを含み、該ディスプレイモジュールは該外殻上に設けられ、前記コントローラと電気的に接続され、前記無線電話及び各種家電製品の機能をディスプレイすることを特徴とする請求項１記載のユニバーサルリモコン機能を結合した無線電話装置。
【請求項４】
前記コントロールボードには更にメニューキーが設けられ、該メニューキーを押すことで各家電製品リモコン装置の機能表示を行うことを特徴とする請求項３記載のユニバーサルリモコン機能を結合した無線電話装置。
【請求項５】
前記無線電話及び各家電製品のリモコン装置における各種機能表示は、樹状方式で表示されることを特徴とする請求項７記載のユニバーサルリモコン機能を結合した無線電話装置。
【請求項６】
前記コントロールボードには更に、上向きカーソル，下向きカーソルが設けられており、樹状に表示される家電製品に対して切り替えを行い、選択キーによって該樹状に表示された家電製品の確認及び選択を行うことを特徴とする請求項５記載のユニバーサルリモコン機能を結合した無線電話装置。
【請求項７】
前記ディスプレイモジュールでは日時を表示することを特徴とする請求項３記載のユニバーサルリモコン機能を結合した無線電話装置。
【請求項８】
前記ディスプレイモジュールでは時間を毎時毎分単位で記すことを特徴とする請求項７記載のユニバーサルリモコン機能を結合した無線電話装置。
【請求項９】
前記コントロールボードの背面には、暗い個所でも機能を表示するのに便利なよう、更にバックライトディスプレイモジュールが設けられていることを特徴とする請求項１記載のユニバーサルリモコン機能を結合した無線電話装置。
【請求項１０】
前記ユニバーサルリモコンモジュールは、赤外線リモコン方式により、該家電製品をリモートコントロールすることを特徴とする請求項１記載のユニバーサルリモコン機能を結合した無線電話装置。
【発明の詳細な説明】
【技術分野】
【０００１】
本発明は電話装置に係り、特にユニバーサルリモコン機能を具有する無線電話装置に関わる。
【背景技術】
【０００２】
家庭において使用される電気製品が多種多様化し、テレビからディスクプレーヤー、空調設備に冷蔵庫等、生活上に欠かせないものとなっている。
こういった各種家電製品が家中に増えると共に、これらを操作するリモコンの数が増え、混乱や紛失を招くことが多々ある。そこで既に市場に出ているリモコンとして、ソニー社の「Universal Remote Commander」やマイクロソフト社の「Take Control」などの万能タイプのリモコン、或いはヒューレットパッカード社のパーソナルデータアシスタントｉＰＡＱ中に設置される無線コントロールソフト「Nevo」が開発されている。
このような、万能タイプのリモコンとしては、例えば、特許文献１や特許文献２に開示されれている。
【特許文献１】特開２０００−３２０２６号公報
【特許文献２】特開２０００−１８４０８１号公報
【発明の開示】
【発明が解決しようとする課題】
【０００３】
しかし、上述のような万能タイプのリモコンはまだ一般家庭での家電等には広く普及していない。
そこで、本発明は、家電のリモコンを無線電話と一体にし、一般の家庭でも容易に使用することのできる本発明のユニバーサルリモコン機能を結合した無線電話装置を提供する。
【課題を解決するための手段】
【０００４】
前記課題を解決するために、請求項１の発明は、電話機と接続されるユニバーサルリモコン機能を結合した無線電話装置において、外殻と、該外殻上に設けられ、複数の機能キーを具有するコントロールボードと、該外殻内に位置するコントローラと、該外殻内に位置し、該コントローラと電気的に接続されており、前記電話機の無線電話シグナルを伝送及び受信し、音声シグナルとダイヤルシグナル並びに無線電話シグナルの転換を行う無線電話モジュールと、該外殻内に位置し、該コントローラと電気的に接続されており、複数の家電製品をリモートコントロールするユニバーサルリモコンモジュールと、を具有し、前記コントロールボードは該無線電話モジュール及び該ユニバーサルリモコンモジュールで共用され、該機能キーを操作することで該無線電話のダイヤル用及び該家電製品機能設定のリモート操作用に使用されることを特徴とするユニバーサルリモコン機能を結合した無線電話装置である。
【０００５】
請求項２の発明は、前記コントロールボードはタッチ式コントロールボードであることを特徴とする請求項１記載のユニバーサルリモコン機能を結合した無線電話装置である。
請求項３の発明は、前記無線電話装置にはディスプレイモジュールを含み、該ディスプレイモジュールは該外殻上に設けられ、前記コントローラと電気的に接続され、前記無線電話及び各種家電製品の機能をディスプレイすることを特徴とする請求項１記載のユニバーサルリモコン機能を結合した無線電話装置である。
請求項４の発明は、前記コントロールボードには更にメニューキーが設けられ、該メニューキーを押すことで各家電製品リモコン装置の機能表示を行うことを特徴とする請求項３記載のユニバーサルリモコン機能を結合した無線電話装置である。
請求項５の発明は、前記無線電話及び各家電製品のリモコン装置における各種機能表示は、樹状方式で表示されることを特徴とする請求項７記載のユニバーサルリモコン機能を結合した無線電話装置である。
【０００６】
請求項６の発明は、前記コントロールボードには更に、上向きカーソル，下向きカーソルが設けられており、樹状に表示される家電製品に対して切り替えを行い、選択キーによって該樹状に表示された家電製品の確認及び選択を行うことを特徴とする請求項５記載のユニバーサルリモコン機能を結合した無線電話装置である。
請求項７の発明は、前記ディスプレイモジュールでは日時を表示することを特徴とする請求項３記載のユニバーサルリモコン機能を結合した無線電話装置である。
請求項８の発明は、前記ディスプレイモジュールでは時間を毎時毎分単位で記すことを特徴とする請求項７記載のユニバーサルリモコン機能を結合した無線電話装置である。
請求項９の発明は、前記コントロールボードの背面には、暗い個所でも機能を表示するのに便利なよう、更にバックライトディスプレイモジュールが設けられていることを特徴とする請求項１記載のユニバーサルリモコン機能を結合した無線電話装置である。
請求項１０の発明は、前記ユニバーサルリモコンモジュールは、赤外線リモコン方式により、該家電製品をリモートコントロールすることを特徴とする請求項１記載のユニバーサルリモコン機能を結合した無線電話装置である。
【０００７】
このように、これらの各発明は、無線電話装置には外殻及び該外殻表面に設けたコントロールボードを含み、該コントロールボード上には複数の機能キーを設け、該外殻内部にはコントローラ、及び該コントローラと電気的に接続した無線電話モジュール、並びにユニバーサルリモコンモジュールを設け、該無線電話モジュールでは電話機の無線電話シグナルを伝送及び受信し、音声シグナルとダイヤルシグナルと無線電話シグナルの転換を行い、該ユニバーサルリモコンモジュールでは複数の家電製品をリモート操作し、該コントロールボードを該無線電話モジュールと該ユニバーサルリモコンモジュールで共用することにより、該機能キーを無線電話ダイヤル用や家電製品機能のリモート操作の両用とするものである。
【発明の効果】
【０００８】
以上のように、本発明のユニバーサルリモコン機能を結合した無線電話装置によれば、軽くて携帯に適しており、且つ多くの家電をリモートコントロールできることから、家庭内で使用する多数のリモコン装置を一つにまとめて使用を便利にすると同時にその紛失を防ぎ、タッチ式によるコントロール方法で使用上の便利性を更に高めることに成功した。
【発明を実施するための最良の形態】
【０００９】
本発明の好適な実施例を図に沿って説明する。
図１に示すように、本考案のユニバーサルリモコン機能を結合した無線電話装置３における第一実施例では、予め無線電話機能状態に設定し、電話機４（図２参照）を合わせ、主に無線電波の方式により電話機と通信を行うように設定されている。
この無線電話装置３には、無線電話装置３の外枠体を形成する外殻３１，該外殻３１表面に位置するコントロールボード３２、並びに、該コントロールボード３２上方に設けられたディスプレイモジュール３３が含まれ、該ディスプレイモジュール３３は該無線電話の各種インフォメーションを標示し、例えば電話がかかって来た際には電話番号を、或いは使用していない状態は日付や時間等を表示するようにしてある。
【００１０】
前記コントロールボード３２においてはタッチ式のものとし、該コントロールボード３２上には機能キーが設けられている。該機能キーには複数の数字キー３２０及びメニューキー３２１、二つの上向きのカーソルキー３２２，３２４及び下向きのカーソル３２３，３２５、並びに選択キー３２６が設けられており、該数字キー３２０は電話番号を入力する際等に使用するものとする。また、家電製品のリモコンの各種機能を該ディスプレイモジュール３３上に表示しようとする場合は、各該家電製品のリモコンの機能を該ディスプレイモジュール３３に細部に枝分かれするよう表示、すなわち、樹状にディスプレイする。
【００１１】
前記二組の上向きカーソル３２２，３２４と下向きカーソル３２３，３２５は、主にテレビやディスクプレーヤー、或いは音響設備などといったリモコンの機能選択用に使用されるものとし、例えば一組以上の該上向きカーソル３２２及び下向きカーソル３２３で音量の大小を調整し、もう一組の該上向きカーソル３２４及び下向きカーソル３２５ではチャンネル機能の選択を行うのに使用されるものとする。メニューキー３２１を押すと、該上向きカーソル３２２及び下向きカーソル３２３が表示された樹状図から各機能を選択し、該選択キー３２６によって機能の確認と選択を行う。
【００１２】
図１，２に示すように、前記無線電話装置３内部にはコントローラ３４が設けられており、該コントローラ３４と電気的に接続された無線電話モジュール３５及び該コントローラ３４に電気的に接続されたユニバーサルリモコンモジュール３６、並びに該無線電話モジュール３５と該ユニバーサルリモコンモジュール３６を切り替えるスイッチ３９が設けられており、該無線電話モジュール３５には更にマイクロフォン３０１及びスピーカー３０２と電気的に接続される。この他、使用に便利なよう該コントロールボード３２の背面には更にバックライトディスプレイモジュール３８が結合されて、暗い個所でも該コントロールボード３２上の機能を操作することができるようになっている。  本無線電話装置３は、携帯に便利である特性を生かし、更に該コントローラ３４と電気的に接続される充電電池３０を具有し、該無線電話装置３が必要な電力を提供する。
【００１３】
一般の使用状態において、先ず本考案のユニバーサルリモコン機能を使用していないときは、該電話モジュール３５は該電話機４の無線電話シグナルを伝送及び受信し、音声シグナルとダイヤルシグナル及び無線電話シグナルの転換を行い、該マイクロフォン３０１とスピーカー３０２は音声シグナルの受信と放送を担い、このとき該コントロールボード３２の各キーは、無線電話モジュール３５の電話番号入力用に使用される。
次に、前記コントロールボード３２のメニューキー３２１をプッシュし、リモコン操作しようとする家電製品５を選択すると、該スイッチ３９は本来設定されている該無線電話モジュール３５を該ユニバーサルリモコンモジュール３６に切り替えてその機能が執行され、該ユニバーサルリモコン機能に切り替わったとき、該ユニバーサルリモコンモジュール３６は複数の家電製品５をリモート操作する。該コントロールボード３２は該ユニバーサルリモコンモジュール３６用となり、各該キーによって該家電製品５をリモート操作するのに用いられる。
本実施例では該ユニバーサルリモコンモジュール３６は赤外線リモコン方式により該家電製品５に赤外線発信器(図示せず)に信号を送り操作するものであるが、同様の機能を達成できるものであればこれに限られない。
【図面の簡単な説明】
【００１４】
【図１】本発明の実施例における外観の立体図である。
【図２】本発明の実施例におけるブロックダイヤグラム図であり、充電電池が設置され、一般の状態では無線電話機能が執行され、スイッチが切り替えられると家電用のリモコン装置になる様子を示す図である。
【符号の説明】
【００１５】
３  無線電話装置
３０  充電電池
３０１  マイクロフォン
３０２  スピーカー
３１  外殻
３２  コントロールボード
３２０  数字キー
３２１  メニューキー
３２２，３２４  上向きカーソル
３２３，３２５  下向きカーソル
３２６  選択キー
３３  ディスプレイモジュール  
３４  コントローラ
３５  無線電話モジュール  
３６  ユニバーサルリモコンモジュール
３８  バックライトディスプレイモジュール
３９  スイッチ
４  電話機
１  家電製品
【図１】
2005229424.tif 000003
【図２】
2005229424.tif 000004